(57)【要約】      （修正有）【課題】愛玩動物及び飼育者の運動量を知ることが可能な、また、愛玩動物と飼育者の運動量とその推移を知って健康管理に役立てることも可能な動物用装着装置及び同装置を提供すること。【解決手段】動物をつなぐためのリードに接続するための接続部２−１と、前記接続部２−１にインターフェースを介して接続され演算及び制御を行うための演算部２−５と、前記演算部２−５に接続され歩数をカウントするための歩数センサ部２−６と、前記演算部２−５に接続されリード付き持ち手との間で電波の送受信を行うための送受信部２−８と、前記演算部２−５による制御に基づき情報を開示するための表示部２−２と、前記各項に電力を供給するための電源２−３とを具備する。【選択図】図２
2016202149.tif 000002
【特許請求の範囲】
【請求項１】
動物をつなぐためのリードに接続するための接続部と、
前記接続部にインターフェースを介して接続され演算及び制御を行うための演算部と、
前記演算部に接続され歩数をカウントするための歩数センサ部と、
前記演算部に接続されリード付き持ち手との間で電波の送受信を行うための送受信部と、
前記演算部による制御に基づき情報を表示するための表示部と、
前記各項に電力を供給するための電源と
を具備する動物用装着装置。
【請求項２】
前記演算部は、前記歩数センサ部の情報から愛玩動物の歩行による消費エネルギーを概算し、該エネルギーに相当する表示を前記表示部に行うことを特徴とする請求項１記載の動物用装着装置。
【請求項３】
前記概算した消費エネルギー情報を、前記送受信部にて送信することを特徴とする請求項２記載の動物用装着装置。
【請求項４】
前記送受信部にて受信した受信信号に含まれる制御情報あるいは前記接続部を介しての制御情報により前記消費エネルギーの演算基準の変更及び、あるいは表示方法の変更を可能とすることを特徴とする請求項２もしくは３に記載の動物用装着装置。
【請求項５】
請求項１乃至４のうちいずれか１項記載の動物用装着装置と、
前記リードを介して前記接続部と接続可能である前記リード付き持ち手と
を具備することを特徴とする動物用装着装置システム。
【請求項６】
前記リード付き持ち手は、
動物をつなぐためのリードに接続するための接続部と、
前記接続部にインターフェースを介して接続され演算及び制御を行うための演算部と、
前記演算部に接続され歩数をカウントするための歩数センサ部と、
前記演算部に接続され前記動物用装着装置との間で電波の送受信を行うための送受信部と、
前記演算部による制御に基づき情報を開示するための表示部と、
前記各項に電力を供給するための電源と
を具備することを特徴とする請求項５記載の動物用装着装置システム。
【請求項７】
前記リード付き持ち手には、前記歩数センサ部の情報から飼育者の歩行による消費エネルギーを概算し該概算された概算エネルギー情報に相当する表示を前記表示部に行うことを特徴とする請求項６記載の動物用装着装置システム。
【請求項８】
前記リード付き持ち手において前記概算エネルギー情報を前記送受信部によって送信することを特徴とする請求項７記載の動物用装着装置システム。
【請求項９】
前記演算部に連接される振動部を更に備え、前記送受信部の受信信号あるいは／及び前記リード付き持ち手よりの信号により該振動部を動作可能とすることを特徴とする請求項１乃至４のうちいずれか１項記載の動物用装着装置。
【請求項１０】
前記接続部に接続されるリードに発光表示器あるいは発光装置が組み込まれることを特徴とする請求項１乃至４のうちいずれか１項記載の動物用装着装置。
【請求項１１】
前記演算部に連接される振動部を更に備え、前記送受信部の受信信号あるいは／及び前記リード付き持ち手よりの信号により該振動部を動作可能とすることを特徴とする請求項５乃至８のうちいずれか１項記載の動物用装着装置システム。
【請求項１２】
前記接続部に接続されるリードに発光表示器あるいは発光装置が組み込まれることを特徴とする請求項５乃至８のうちいずれか１項記載の動物用装着装置システム。
【発明の詳細な説明】
【技術分野】
【０００１】
本発明はたとえば動物用装着装置及び動物用装着装置システムに係り、特に犬や猫のような愛玩動物に装着するのに好適な動物用装着装置及び動物用装着装置システムに関する。
【背景技術】
【０００２】
近年、ペットブームとして犬や猫のような愛玩動物を飼育する家庭が増加している。このような愛玩動物を飼育することは、飼い主の精神的癒しや子供の情操教育にもつながることから、家族の一員として深く愛情を注いでいる家庭も存在する。このような家庭にとって、ペットの健康維持・管理は家族の健康維持と共に大変重要な事項である。
【０００３】
一方、愛玩動物を連れて散歩をすることは愛玩動物の運動ばかりか飼い主の運動にもなり、特に高齢者の運動不足の解消や健康維持にも役立つものといえる。しかし、愛玩動物の大小や飼い主の年齢等により、愛玩動物ばかりでなく飼い主にも適正な運動量があり、過度な運動による疲労を防がなければならない。さらに、散歩の途中の交通事故、特に夜間における散歩の事故を避ける必要がある。
【０００４】
この点で、特許文献１においては、夜間の散歩での事故を防ぐため、ペット（愛玩動物）に装着する首輪に電池及び発光ダイオード（ＬＥＤ）を組み込んで、ペットの位置を遠方から確認できることによりペット散歩中の交通事故を避けるという技術思想が開示されている。
【０００５】
また特許文献２においては、ペットの首輪ばかりでなく、首輪に繋いだリード（引き綱）も発光させて、夜間の事故を防止するような技術思想が開示されている。
【０００６】
上記２つの特許文献に開示されるのは、夜間、愛玩動物との散歩での事故防止には優れた技術思想ではあるが、愛玩動物の適正運動量や、愛玩動物を連れて歩く飼育者（飼い主）の健康についての考慮はなされていない。また、首輪もリードも夜間での事故を防止するために単に光るというだけで、光り方や発光色による情報の表示という思想にまでは言及していない。
【先行技術文献】
【特許文献】
【０００７】
【特許文献１】実用新案登録第３１１７１２３号公報
【特許文献２】特開２０１４−１４３９３３号公報
【発明の概要】
【発明が解決しようとする課題】
【０００８】
上述のように、愛玩動物と飼育者とが長く共生していくためには、両者の健康維持をしていくことが重要である。この健康維持のためには両者が一緒に適度な散歩をすることが有効な手段である。しかし、健康維持のための散歩が過度になり、かえって愛玩動物や飼育者の健康を害してしまう恐れがある。
【０００９】
このような弊害を避けるためにも、本願は、愛玩動物及び飼育者の運動量を知ることが可能な、また、愛玩動物と飼育者の運動量とその推移を知って健康管理に役立てることも可能な動物用装着装置及び動物用装着装置システムを提供することを課題とする。
【００１０】
さらに、夜間の愛玩動物及び飼育者の散歩の危険防止も可能とし、また、愛玩動物と飼育者を結ぶリードを通しての情報伝達も可能な動物用装着装置及び動物用装着装置システムを提供することを課題とする。
【課題を解決するための手段】
【００１１】
上記のような各課題を解決するために、本発明に係る愛玩動物用装着装置においては、動物装着装置を、歩数センサ、外光センサ、演算装置（コンピュータ（ＣＰＵと略）、メモリ、インターフェースを含む）、電波送信機、電波受信機、表示器、リードとの機械的／電気的接続を行うリード接続部、電源を備えて構成させる。より詳細には、動物をつなぐためのリードに接続するための接続部と、前記接続部にインターフェースを介して接続され演算及び制御を行うための演算部と、前記演算部に接続され歩数をカウントするための歩数センサ部と、前記演算部に接続されリード付き持ち手との間で電波の送受信を行うための送受信部と、前記演算部による制御に基づき情報を表示するための表示部と、前記各項に電力を供給するための電源とを具備する動物用装着装置として実現する。
【００１２】
また、上記構成の動物装着装置において、歩数センサの情報から、愛玩動物の歩行による消費エネルギーを概算し、該エネルギーに相当する表示を当該表示器に行う。
【００１３】
また、上記の愛玩動物用装着装置において、概算した消費エネルギー情報を、電波送信機にて送信する。
【００１４】
さらに、上記の愛玩動物用装着装置において、携帯端末よりの制御情報を含む電波信号を電波受信機にて受信した該制御情報、或いはリードとの電気的接続を行うリード接続部を介しての制御情報により上記消費エネルギーの演算基準の変更及びあるいは表示方法を変更するようにしてもよい。
【００１５】
また、上記課題を解決するために本願は、上述のいずれかの構成を有する動物用装着装置と、リードを介して前記接続部と接続可能である前記リード付き持ち手とを具備する動物用装着装置システムとして実現することもできる。この場合に、上記動物装着装置のリードとの機械的／電気的接続を行うリード接続部に、リード付き持ち手のリードが接続可能であるようにしてもよい。
【００１６】
さらに、上記リード付き持ち手は、歩数センサ、外光センサ、演算装置（ＣＰＵ、メモリ、インターフェースを含む）、電波送信機、表示器、リードとの機械的／電気的接続を行うリード接続部、コントローラ、リード、電源を備えて構成されるようにする。
【００１７】
また、上記リード付き持ち手において、上記歩数センサの情報から、上記持ち手を保持する飼育者の歩行による消費エネルギーを概算し、該消費エネルギーに相当する表示を上記表示器に行うと共に、上記発光表示器をあるいは発光装置に該エネルギーに相当する表示を行うようにする。
【００１８】
さらに、上記リード付き持ち手において、上記飼育者の歩行による消費エネルギー情報を上記電波送信機によって送信する。
【００１９】
また、上記動物装着装置において、上記演算装置に振動装置を連接させ、同演算装置に接続する電波受信機からの受信信号あるいは上記リード付き持ち手からの信号により上記振動装置を動作させるようにする。
【００２０】
さらに、上記リード付き持ち手において、上記リード接続部に接続するリードに発光表示器をあるいは発光装置を組み込むようにしてもよい。
【００２１】
また、上記動物装着装置システムにおいて、上記演算装置に振動装置を連接させ、同演算装置に接続する電波受信機からの受信信号あるいは上記リード付き持ち手からの信号により上記振動装置を動作させるようにする。
【００２２】
さらに、上記システムにおいて、上記リード接続部に接続するリードに発光表示器をあるいは発光装置を組み込むようにしてもよい。
【発明の効果】
【００２３】
以上説明したように、本発明に係る動物用装着装置及び／もしくは同システムは、愛玩動物及び飼育者両者の歩行歩数による消費エネルギーを概算することにより、愛玩動物及び飼育者の健康管理に役立つという新しい効果を生み出すことができる。この効果は、従来愛玩動物あるいは飼育者どちらか一方の健康のみに着目していたものを、本発明により飼育者と愛玩動物とが共に健康に生活をし、同じ家族として生きていくという、ペットがもたらす究極の共存、共生生活をもたらすものである。
【００２４】
以上に加えて、外光が暗い夜間の散歩には消費エネルギーを表示する表示器を発光させ、他の歩行者や車両の邪魔になることなく、事故を起こすことを防止することができる。
【００２５】
また、上記の消費エネルギー情報を外部のパソコンや携帯端末に無線伝送できるため、現在広く用いられている健康管理ソフトを用いて、飼育者及び愛玩動物の適正な健康管理を行うことができる。
【００２６】
さらに、愛玩動物へ装着する首輪のような装着装置に振動装置（バイブレータ）を組込み、リード或いは無線によって該振動装置を操作することにより、飼育者が愛玩動物にある程度の命令を伝達することが可能になる。
【図面の簡単な説明】
【００２７】
【図１】本発明の一実施形態に係る愛玩動物用装着装置の概略図である。
【図２】本発明の一実施形態に係る愛玩動物用装着装置を構成する動物装着装置の外形概略図である。
【図３】本発明の一実施形態に係る愛玩動物用装着装置構成品の動物装着装置に係るブロックダイヤグラムである。
【図４】本発明の一実施形態に係る愛玩動物用装着装置を構成するリード付き持ち手の外観概略図である。
【図５】本発明の一実施形態に係る愛玩動物用装着装置を構成するリード付き持ち手に係るブロックダイヤグラムである。
【発明を実施するための形態】
【００２８】
以下、図面を参照して本発明の実施形態を説明する。なお、以下では本発明の目的を達成するための説明に必要な範囲を模式的に示し、本発明の該当部分の説明に必要な範囲を主に説明することとし、説明を省略する箇所については公知技術によるものとする。
【００２９】
図１は、本発明の一実施形態に係る愛玩動物用装着装置１の概略図である。本発明１は、犬や猫のような愛玩動物に装着する首輪や胴帯のような動物装着装置２と装着装置２に接続するリード付き持ち手３から構成される。
【００３０】
図２は、本発明の一実施形態に係る愛玩動物用装着装置１を構成する動物装着装置２の外形概略図である。同図に示されるように、動物装着装置２は、通常の愛玩動物用首輪あるいは胴バンドと類似の外形としてもよく、表示器を見やすい形態としてもよい。動物装着装置２の外側には表示器２−２とリード接続部２−１とが装着されている。
【００３１】
また、後述する充電可能電池２−３が脱着可能な状態で装着されており、同じく後述する回路部分２−５〜２−１０が動物装着装置２の内部に装着されている。動物装着装置２の愛玩動物への取付けは通常の首輪の取り付けと同様な取付け方法で行われる。図２においてはピンバックルによる装着例を示すが、ピン穴なしのバックルや結び紐等による装着方法としてもよく、これらは全て本発明の技術思想に含まれるものである。
【００３２】
図３は、本発明の一実施形態に係る愛玩動物用装着装置１の動物装着装置２に係るブロックダイヤグラムである。同図に示されるように、動物装着装置２には、ＣＰＵ２−５（以下、より厳密に、「（ＣＰＵ＋メモリ）２−５」とも呼ぶ。）に表示器２−２、歩数センサ２−６、外光センサ２−７、インターフェース２−１０、電波送受信機２−８が接続されて内包され、これらの電源として機能する電池２−３、及びインターフェース２−１０を介して接続される振動装置２−１１、温度センサ２−１２が内包されて形成される。振動検出センサあるいは衝撃検出センサを用いた歩数センサ２−６によって愛玩動物の歩数が計測され、該歩数に基づいて愛玩動物の方向による消費エネルギーが（ＣＰＵ＋メモリ）２−５によって概算され表示器２−２に表示されるようになっている。
【００３３】
表示例としては図２の表示器２−２のように消費エネルギーを段階的なレベルによって表示してもよいし、表示器２−２全体の点灯色を変化させて消費エネルギーの程度を表示したり、これらの両表示法を組み合わせてもよい等、色々な表示方法・態様が考えられる。これらは全て本発明の技術思想に含まれるものである。
【００３４】
また、表示器２−２は、ＬＥＤのような発光素子自体あるいは発光素子バックの液晶表示器としてもよく、点灯表示は電源電池の消耗を少なくするため間欠点灯とし、外光センサ２−７の情報によって一定の外光照度以下になったとき点灯してもよい。
【００３５】
上述のように、動物装着装置２の（ＣＰＵ＋メモリ）２−５には電波送受信機２−８が連接されることから、消費エネルギー情報を電波送受信機２−８及びアンテナ２−９によって送信することができる。また、愛玩動物と離れた場所のパソコンや携帯端末によって受信し、愛玩動物の消費エネルギーを観測することができる。電波形態としては特定小電力無線、Ｗｉ−Ｆｉ（登録商標）を用いてもよいが、たとえば２．４ＧＨｚのＺｉｇＢｅｅ（登録商標）を用いればアンテナ２−９をたいへん小型にできる。なお、電波による情報送受信は公知の技術によるので、詳細は省略する。
【００３６】
さらに、上述のように、動物装着装置２の（ＣＰＵ＋メモリ）２−５にはインターフェース部２−１０が接続され、愛玩動物と飼育者とはインターフェース部２−１０を介して、リード３−１及びリード接続部２−１と電気的に接続される。一方、リード３−１は動物装着装置２そのもの及びリード接続部２−１によって機械的にも接続されている。
【００３７】
また、インターフェース部２−１０を介して愛玩動物の体温を計測する温度センサ２−１２や振動装置２−１１を動物装着装置２中に組み込むことが可能であり、愛玩動物の体温を観測したり、振動装置２−１１の振動の断続によって愛玩動物に若干の命令をすることが可能となる。なお、（ＣＰＵ＋メモリ）２−５とインターフェース部２−１０とが、いわゆる演算装置を構成している。
【００３８】
また、動物装着装置２の外面には機械的／電気的接続を行うリード接続部２−１が設けられており、インターフェース２−１０を介してＣＰＵ２−５に接続されている。このリード接続部２−１を介して、後述するリード付き持ち手より、或いはパソコンや携帯端末の電波信号により、表示器の表示方法の変更や消費エネルギーの計算方法の変更等をすることができる。例えば、愛玩動物として犬を例に取れば、大型犬と中型犬や小型犬では、健康維持のための適正消費エネルギーが異なるので、エネルギー限度の表示等を変える必要がある。こうした場合に上記変更可能手段を設けるのが好適である。
【００３９】
図４は、リード付き持ち手３の外観概略図の一例である。リード付き持ち手３は片手で握りやすい形状をしており、一方にはリード接続部３−４を介して愛玩動物と結ぶリード３−１が取り付けられている。リード持ち手３の電源は充電可能な電池３−３によって供給され、電池３−３は充電に便利なように着脱式であることが望ましい。また、動物装着装置２とリード付き持ち手３とがリード接続部３−４を介してリード３−１で結合されているときは、リード３−１を介してリード付き持ち手３から動物装着装置２に電源を供給することも可能である。
【００４０】
一方、リード付き持ち手３には動物装着装置２の表示器２−２と同様な表示器３−５と、愛玩動物及び飼育者の消費エネルギーの表示切替や振動装置２−１１のＯＮ／ＯＦＦ等の制御を行うためのコントローラ３−６とが組み込まれている。
【００４１】
図５は、本発明の一実施形態に係る愛玩動物用装着装置１のリード付き持ち手３に係るブロックダイヤグラムである。同図に示されるように、リード付き持ち手３には、ＣＰＵ５−３に表示器３−５、歩数センサ５−１、外光センサ５−２、インターフェース５−５、電波送信器５−４が接続して内包され、これらの電源として機能する電池３−３、及びインターフェース５−５を介して接続されるコントローラ３−６が内包されて形成される。振動あるいは衝撃検出センサを用いた歩数センサ５−１によってリード付き持ち手３を保持する飼育者の歩数が計測されて、該歩数に基づいて飼育者による消費エネルギーがＣＰＵ５−３によって概算されて表示器３−５に表示される。表示例としては図２の表示器２−２のように消費エネルギーを段階的なレベル的に表示してもよいし、表示器３−５全体の点灯色を変化させて消費エネルギーの程度を表示したり、数値表示をしたり、これらの表示方法を組み合わせる等してもよく、色々な表示方法・態様が考えられる。これらは全て本発明の技術思想に含まれるものである。
【００４２】
表示器３−５による点灯表示は電源電池の消耗を少なくするため間欠点灯とする。コントローラ３−６により飼育者が点灯のＯＮ／ＯＦＦを行うことができ、外光センサ５−２の情報によって一定の外光照度以下になったとき点灯することもできる。
【００４３】
リード３−１は、通常の愛玩動物の首輪に接続するリードと略同の材質の光ファイバーを沿わせたり、或いは間隔をあけて発光ダイオードを設置した電線を沿わせる等によってリードが発光可能なる構造としている。光ファイバーの光源や発光ダイオードの電源はリード持ち手３中に設置する。なお、発光可能なリードについては各種の方法があるが、公知の技術であるため詳細説明は省略する。
【産業上の利用可能性】
【００４４】
上述してきたように、本発明によれば、愛玩動物の運動量を観測することにより適正な健康管理をすることができる。同時に、愛玩動物を散歩させる飼育者の健康管理を行うこともできる。例えば、愛玩動物と飼育者とが散歩に出て、飼育者の運動量が適正になっても愛玩動物の運動量が不足の場合は、愛玩動物のみをドッグランで運動させ、飼育者は離隔位置から愛玩動物の運動量を観測、管理するとしてもよい。逆の場合は、愛玩動物をリードで固縛して、飼育者のみが持ち手を保持して運動し、両者が適正な運動量になるようにすることもできる。こうして、本願によれば、愛玩動物と飼育者とが共生、共存するために大きな貢献ができる。
【００４５】
また、本発明の動物装着装置を単独で用いることにより、愛玩動物ばかりでなく一般動物の運動量観測にも用いることができる。さらに、日々の運動量観測結果を一般に用いられている各種健康管理ソフトによって分析し、散歩や運動予定を立案して健康管理に役立てることができる。
【符号の説明】
【００４６】
１…本発明の愛玩動物用装着装置、２…動物装着装置、２−１…リード接続部、２−２…表示器、２−３…電池、２−５…ＣＰＵ、２−６…歩数センサ、２−７…外光センサ、２−８…電波送受信機、２−９…アンテナ、２−１０…インターフェース、２−１１…振動装置、２−１２…温度センサ、３…リード付き持ち手、３−１…リード、３−３…電池、３−４…リード接続部、３−５…表示器、３−６…コントローラ、５−１…歩数センサ、５−２…外光センサ、５−３…ＣＰＵ、５−４…電波送信器、５−５…インターフェース、５−８…アンテナ
【図１】
2016202149.tif 000003
【図２】
2016202149.tif 000004
【図３】
2016202149.tif 000005
【図４】
2016202149.tif 000006
【図５】
2016202149.tif 000007
【手続補正書】
【提出日】平成27年12月21日(2015.12.21)
【手続補正１】
【補正対象書類名】特許請求の範囲
【補正対象項目名】全文
【補正方法】変更
【補正の内容】
【特許請求の範囲】
【請求項１】
動物に装着される動物用装着装置と該動物用装着装置に接続されるリード付き持ち手とを備える動物用装着装置システムであって、
前記動物用装着装置は、
愛玩動物をつなぐためのリードに接続するための第１の接続部と、前記第１の接続部にインターフェースを介して接続され演算及び制御を行うための第１の演算部と、前記第１の演算部に接続され前記愛玩動物の歩数をカウントするための第１の歩数センサ部と、前記第１の演算部に接続され前記リード付き持ち手との間で電波の送受信を行うための第１の送受信部と、前記第１の演算部による制御に基づき情報を表示するための第１の表示部と、前記第１の演算部、前記第１の歩数センサ部、前記第１の送受信部、前記第１の表示部に電力を供給するための第１の電源とを備え、
前記リード付き持ち手は、
前記愛玩動物をつなぐためのリードに接続するための第２の接続部と、前記第２の接続部にインターフェースを介して接続され演算及び制御を行うための第２の演算部と、前記第２の演算部に接続され飼育者の歩数をカウントするための第２の歩数センサ部と、前記第２の演算部に接続され前記動物用装着装置との間で電波の送受信を行うための第２の送受信部と、前記第２の演算部による制御に基づき情報を開示するための第２の表示部と、前記前記第２の演算部、前記第２の歩数センサ部、前記第２の送受信部、前記第２の表示部に電力を供給するための第２の電源とを備え、
前記リード付き持ち手に係る前記第２の接続部を介しての制御情報により前記第１の消費エネルギーの演算基準の変更及び、あるいは表示方法の変更を可能とすることを特徴とする動物用装着装置システム。
【請求項２】
前記第１の演算部は、前記第１の歩数センサ部の情報から前記愛玩動物の歩行による第１の消費エネルギーを概算し、該概算された第１の消費エネルギーに相当する表示を前記第１の表示部に行うことを特徴とする請求項１記載の動物用装着装置システム。
【請求項３】
前記概算された第１の消費エネルギーに係る情報を、前記第１の送受信部にて送信することを特徴とする請求項２記載の動物用装着装置システム。
【請求項４】
前記第１の送受信部にて受信した受信信号に含まれる制御情報により前記第１の消費エネルギーの演算基準の変更及び、あるいは表示方法の変更をさらに可能とすることを特徴とする請求項２もしくは３に記載の動物用装着装置システム。
【請求項５】
前記第１の演算部に連接される第１の振動部を更に備え、前記第１の送受信部の受信信号あるいは／及び前記リード付き持ち手よりの信号により該第１の振動部を動作可能とすることを特徴とする請求項１乃至４のうちいずれか１項記載の動物用装着装置システム。
【請求項６】
前記第１の接続部に接続されるリードに第１の発光表示器あるいは第１の発光装置が組み込まれることを特徴とする請求項１乃至４のうちいずれか１項記載の動物用装着装置システム。
【請求項７】
前記第２の演算部は、前記第２の歩数センサ部の情報から前記飼育者の歩行による第２の消費エネルギーを概算し該概算された第２の消費エネルギーに相当する表示を前記第２の表示部に行うことを特徴とする請求項１記載の動物用装着装置システム。
【請求項８】
前記概算された第２の消費エネルギーに係る情報を前記第２の送受信部によって送信することを特徴とする請求項７記載の動物用装着装置システム。
【請求項９】
前記第２の演算部に連接される第２の振動部を更に備え、前記第２の送受信部の受信信号により該第２の振動部を動作可能とすることを特徴とする請求項１乃至８のうちいずれか１項記載の動物用装着装置システム。
【請求項１０】
前記第２の接続部に接続されるリードに第２の発光表示器あるいは第２の発光装置が組み込まれることを特徴とする請求項１乃至８のうちいずれか１項記載の動物用装着装置システム。
【手続補正書】
【提出日】平成28年5月9日(2016.5.9)
【手続補正１】
【補正対象書類名】特許請求の範囲
【補正対象項目名】全文
【補正方法】変更
【補正の内容】
【特許請求の範囲】
【請求項１】
動物に装着される動物用装着装置と該動物用装着装置に接続されるリード付き持ち手とを備える動物用装着装置システムであって、
前記動物用装着装置は、
愛玩動物をつなぐためのリードに接続するための第１の接続部と、前記第１の接続部にインターフェースを介して接続され演算及び制御を行うための第１の演算部と、前記第１の演算部に接続され前記愛玩動物の歩数をカウントするための第１の歩数センサ部と、前記第１の演算部に接続され前記リード付き持ち手との間で電波の送受信を行うための第１の送受信部と、前記第１の演算部による制御に基づき情報を表示するための第１の表示部と、前記第１の演算部、前記第１の歩数センサ部、前記第１の送受信部、前記第１の表示部に電力を供給するための第１の電源とを備え、
前記リード付き持ち手は、
前記愛玩動物をつなぐためのリードに接続するための第２の接続部と、前記第２の接続部にインターフェースを介して接続され演算及び制御を行うための第２の演算部と、前記第２の演算部に接続され飼育者の歩数をカウントするための第２の歩数センサ部と、前記第２の演算部に接続され前記動物用装着装置との間で電波の送受信を行うための第２の送受信部と、前記第２の演算部による制御に基づき情報を開示するための第２の表示部と、前記第２の演算部、前記第２の歩数センサ部、前記第２の送受信部、前記第２の表示部に電力を供給するための第２の電源とを備え、
前記第１の演算部は前記第１の歩数センサ部によってカウントされた前記愛玩動物の歩数に基づいて第１の消費エネルギーを概算し、
前記第２の接続部を介しての制御情報により前記第１の消費エネルギーの演算基準の変更あるいは表示方法の変更を可能とする変更可能手段が前記リード付き持ち手に設けられることを特徴とする動物用装着装置システム。
【請求項２】
前記第１の演算部は、前記第１の歩数センサ部の情報から前記愛玩動物の歩行による第１の消費エネルギーを概算し、該概算された第１の消費エネルギーに相当する表示を前記第１の表示部に行うことを特徴とする請求項１記載の動物用装着装置システム。
【請求項３】
前記概算された第１の消費エネルギーに係る情報を、前記第１の送受信部にて送信することを特徴とする請求項２記載の動物用装着装置システム。
【請求項４】
前記第１の送受信部にて受信した受信信号に含まれる制御情報により前記第１の消費エネルギーの演算基準の変更及び、あるいは表示方法の変更をさらに可能とすることを特徴とする請求項２もしくは３に記載の動物用装着装置システム。
【請求項５】
前記第１の演算部に連接される第１の振動部を更に備え、前記第１の送受信部の受信信号あるいは／及び前記リード付き持ち手よりの信号により該第１の振動部を動作可能とすることを特徴とする請求項１乃至４のうちいずれか１項記載の動物用装着装置システム。
【請求項６】
前記第１の接続部に接続されるリードに第１の発光表示器あるいは第１の発光装置が組み込まれることを特徴とする請求項１乃至４のうちいずれか１項記載の動物用装着装置システム。
【請求項７】
前記第２の演算部は、前記第２の歩数センサ部の情報から前記飼育者の歩行による第２の消費エネルギーを概算し該概算された第２の消費エネルギーに相当する表示を前記第２の表示部に行うことを特徴とする請求項１記載の動物用装着装置システム。
【請求項８】
前記概算された第２の消費エネルギーに係る情報を前記第２の送受信部によって送信することを特徴とする請求項７記載の動物用装着装置システム。
【請求項９】
前記第２の演算部に連接される第２の振動部を更に備え、前記第２の送受信部の受信信号により該第２の振動部を動作可能とすることを特徴とする請求項１乃至８のうちいずれか１項記載の動物用装着装置システム。